(57)【特許請求の範囲】
【請求項１】
間隔を隔てて配置された第１及び第２のシャーシと、
これら第１及び第２のシャーシ間にあって、第１及び第２のシャーシが取り付けられている放熱体と、
第１及び第２のシャーシの少なくとも一方における前記放熱体と反対側に、第１及び第２のシャーシの前記少なくとも一方に着脱自在に設けられたプリント配線板と、
前記プリント配線板に面する前記放熱体の面に、前記プリント配線板と面するように取り付けられ、前記プリント配線板と電気的に接続されて、電源回路を構成している半導体モジュールとを、
具備し、前記電源回路は、変圧器を有し、この変圧器は、前記放熱体の下方に配置され、第１及び第２のシャーシを貫通して配置されている電源装置。
【請求項２】
請求項１記載の電源装置において、前記変圧器は、薄型のものである電源装置。
【請求項３】
間隔を隔てて配置された第１及び第２のシャーシと、
これら第１及び第２のシャーシ間にあって、第１及び第２のシャーシが取り付けられている放熱体と、
第１及び第２のシャーシの少なくとも一方における前記放熱体と反対側に、第１及び第２のシャーシの前記少なくとも一方に着脱自在に設けられたプリント配線板と、
前記プリント配線板に面する前記放熱体の面に、前記プリント配線板と面するように取り付けられ、前記プリント配線板と電気的に接続されて、電源回路を構成している半導体モジュールとを、
具備し、前記プリント配線板は、第１のシャーシに着脱自在に設けられた第１のプリント配線板と、第２のシャーシに着脱自在に設けられた第２のプリント配線板とを、有し、第１のプリント配線板には、前記電源回路における入力側回路が形成され、第２のプリント配線板には、前記電源回路における出力側回路が形成され、
前記半導体モジュールは、前記入力側回路に関連するものと、前記出力側回路に関連するものとが設けられ、前記入力側回路に関連する半導体モジュールは、前記第１のシャーシ側の前記放熱体の面に、前記第１のシャーシを貫通して、第１のプリント配線板側に突出するように設けられ、前記出力側回路に関連する半導体モジュールは、前記第２のシャーシ側の前記放熱体の面に、前記第２のシャーシを貫通して、第２のプリント配線板側に突出するように設けられ、前記電源回路は、前記入力側と出力側との間に変圧器を有し、この変圧器が、薄型のもので、前記放熱体の下方に配置され、この変圧器の入力側が前記第１のプリント配線板に、出力側が前記第２のプリント配線板に、それぞれ接続されている電源装置。
【発明の詳細な説明】
【０００１】
【発明の属する技術分野】
本発明は、電源装置に関し、例えばアーク溶接機、プラズマアーク溶接機、アーク切断機、プラズマアーク切断機、充電器及びめっき装置等に使用することができる電源装置に関する。
【０００２】
【従来の技術】
一般に、電源装置には、交流電流を直流電流に変換するものがある。このような電源装置では、動作時の発熱量が多い発熱部品と、動作時の発熱量が少ない非発熱部品とが混在する。発熱部品と非発熱部品とを仕分けて、ケース内に配置したものが提案されている。
【０００３】
このような電源装置の一例が、例えば米国特許第５８３１２４０号の明細書に開示されている。この電源装置では、間隔をおいて前面パネルと背面パネルとが配置されている。両者の空間を上部空間と下部空間に区画するようにシャーシが設けられている。下部空間には発熱部品が配置され、上部空間には非発熱部品が配置される。但し、上部空間には、発熱部品である半導体モジュールが配置されている。しかし、この半導体モジュールは、放熱体に取り付けられ、この放熱体は、シャーシを貫通して下部空間に配置されている。従って、半導体モジュールが発生する熱は、実質的に下部空間に放射される。下部空間には、ファンが設けられ、熱を外部に放出している。半導体モジュールは、この電源回路において使用される全ての半導体素子が組み込まれている。半導体モジュールの上方に、これに接近して、半導体素子のうち制御が必要なものを制御するための制御回路が構成されたプリント配線板が配置されている。上部空間と下部空間とは、それぞれの縦断面が横倒させたＵ字状をなす左右側壁パネルによって両側から覆われている。左右側壁パネルは、それらの先端部が、両空間の中央で突き合わされている。
【０００４】
【発明が解決しようとする課題】
このような電源装置では、前面パネルと背面パネルとシャーシとが結合された構成であるので、前面パネル及び背面パネルを取り付けた状態でなければ、内部の点検や修理を行うことができず、例えば前面パネルや背面パネル付近に配置されている部品の点検や修理が行いにくい。しかも、半導体モジュールの取替えが必要になった場合、左右側壁パネルを取り外した後に、半導体モジュールの上方にあるプリント配線板を外した後でなければ、半導体モジュールの取替えが行えず、保守や点検に時間がかかっていた。
【０００５】
本発明は、保守点検が容易に行える電源装置を提供することを目的とする。
【０００６】
【課題を解決するための手段】
本発明による電源装置は、間隔を隔てて配置された第１及び第２のシャーシを有している。第１及び第２のシャーシは、薄手のもの、例えば板状のものが望ましい。第１及び第２のシャーシ間に放熱体が配置され、この放熱体に第１及び第２のシャーシが取り付けられている。第１及び第２のシャーシの少なくとも一方における前記放熱体と反対側に、第１及び第２のシャーシの前記少なくとも一方に着脱自在にプリント配線板が設けられている。プリント配線板は、放熱体から間隔をおいて配置されることが望ましい。プリント配線板に面する放熱体の面に、プリント配線板と面するように半導体モジュールが取り付けられている。この半導体モジュールは、プリント配線板と電気的に接続されて、電源回路を構成している。これら放熱体、第１及び第２のシャーシ、プリント配線板とが１つのブロックを構成しており、このブロックは、ケースによってその側方が覆われる。ケースとしては、一体型のものまたは分割型のもの、いずれでも使用することができる。また、このブロックの前後、即ち第１及び第２のシャーシの両端付近は、正面パネル及び背面パネルによってそれぞれ覆われる。但し、このブロックは、正面パネルや背面パネルとは分離可能である。
【０００７】
このように構成された電源装置では、第１及び第２のシャーシは、放熱体に取り付けられているので、放熱体の前後に正面パネルや背面パネルがあっても、これらとは機械的に分離されている。従って、第１及び第２のシャーシの両端付近に部品があっても、これらの保守点検が容易に行える。しかも、プリント配線板を第１及び第２のシャーシのうち一方から容易に取り外すことができ、取り外すと、半導体モジュールが露出しているので、その保守点検が容易に行える。
【０００８】
前記半導体モジュールは、第１及び第２のシャーシの前記一方に形成された窓から、前記プリント配線板側に突出させることができる。このように構成すると、プリント配線板を取り外したとき、窓から半導体モジュールが突出しており、その保守点検が非常に容易に行える。
【０００９】
更に、半導体モジュールを、着脱自在な接続具によってプリント配線板に接続することができる。このように構成した場合、プリント基板と半導体モジュールとの配線は、容易に外すことができるので、プリント基板を取り外す際の作業が簡易化され、保守点検が容易に行える。
【００１０】
放熱体を、２つの分割部材から構成することができる。これら分割部材は、内側に複数の羽を有している。各分割部材は、同一形状とすることが望ましい。放熱体を分割形成しているので、その製造が容易である。特に、羽がほぼ水平で、上下方向に間隔をおいて配置されている場合に、引き抜き加工によって形成する場合、羽の長さの羽の間隔に対する比を余り大きくすることができないが、羽の長さ方向に垂直な面に沿って分割形成し、分割形成したものを組み合わせることによって、羽の長さの羽の間隔に対する比を大きくとった放熱体を構成することができる。また、各分割部材を同一形状としておくと、その製造が容易に行える。
【００１１】
第１及び第２のシャーシの一端部間に送風機を設けることもできる。このようにファンを設けると、放熱体を冷却することができる。特に、放熱体の両側に第１及び第２のシャーシを設けているので、これらによってダクトが形成され、より良好に放熱体を冷却することができる。
【００１２】
電源回路は、変圧器を有している。この変圧器は、前記放熱体の下方に、第１及び第２のシャーシを貫通して配置されている。電源回路では、入力側と出力側との間に変圧器を設けることがある。この変圧器が放熱体の下方に配置されているので、特別に変圧器の設置スペースを確保する必要がない。しかも、第１及び第２のシャーシによって支持されているので、特別な支持具も不要である。
【００１３】
更に、変圧器は、薄型のものとすることができる。薄型に構成すると、より変圧器の設置スペースを小さくでき、この電源装置を小型化することができる。薄型の変圧器としては、例えば薄い板状導体を絶縁シートを介して積層したものを使用することができ、特に薄い板状導体は、金属導体板をループ状に切り取ったものとすることができる。
【００１４】
本発明による他の電源装置は、上述した電源装置と同様に、第１及び第２のシャーシと、放熱体と、プリント配線板と、半導体モジュールとを有している。プリント配線板は、第１のシャーシに着脱自在に設けられた第１のプリント配線板と、第２のシャーシに着脱自在に設けられた第２のプリント配線板とを、有している。第１のプリント配線板には、前記電源回路における入力側回路が形成され、第２のプリント配線板には、前記電源回路における出力側回路が形成される。半導体モジュールは、入力側回路に関連するものと、出力側回路に関連するものとが別個に設けられる。入力側回路に関連する半導体モジュールは、第１のシャーシ側の放熱体の面に、第１のシャーシを貫通して、第１のプリント配線板側に突出するように設けられる。出力側回路に関連する半導体モジュールは、第２のシャーシ側の放熱体の面に、第２のシャーシを貫通して、第２のプリント配線板側に突出するように設けられる。このように構成すると、第１のプリント基板を外すことによって入力側に関連する半導体モジュールを保守点検することが行え、第２のプリント基板を外すことによって出力側に関連する半導体モジュールを保守点検することができる。しかも、半導体モジュールは、第１及び第２のシャーシからプリント基板側に突出しているので、更に保守点検が容易である。
【００１５】
更に、電源回路は、入力側と出力側との間に変圧器を有している。この変圧器が、薄型のもので、前記放熱体の下方に配置され、この変圧器の入力側が前記第１のプリント配線板に、出力側が前記第２のプリント配線板に、それぞれ接続される。このように構成すると、変圧器の設置スペースが少なくなり、電源装置を小型化することができる上に、変圧器の入力側及び出力側の配線も最短距離で行うことができる。
【００１６】
【発明の実施の形態】
本発明の１実施形態の電源装置は、図２に示すように、電源入力端子２ａ乃至２ｃを有している。この電源端子２ａ乃至２ｃには、交流電源、例えば三相商用交流電源が接続される。単相商用交流電源を使用することもできる。この商用交流電源の電圧は、第１の電圧、例えば４００Ｖまたは第１の電圧の約１／２である第２の電圧、例えば２００Ｖである。
【００１７】
電源入力端子２ａ乃至２ｃは、入力側整流器４の入力端子に接続されている。この入力側整流器４は、複数の整流ダイオードをブリッジ接続したもので、半導体モジュールに構成されている。この入力側整流器４の出力端子４Ｐ、４Ｎ間に平滑用コンデンサ６が接続されている。図２では、平滑用コンデンサ６を１つだけ示してあるが、実際には複数のコンデンサが平滑用コンデンサ６として使用される。
【００１８】
この電源装置は、さらに２つのインバータ８ａ、８ｂを有している。２つのインバータ８ａ、８ｂは、同一の構成であるので、インバータ８ａの構成について詳細に説明し、インバータ８ｂについては、インバータ８ａの構成要素を示す符号の添え字中のａをｂに変更して示し、詳細な説明は省略する。
【００１９】
インバータ８ａは、半導体スイッチング素子を有している。半導体スイッチング素子は、制御電極に供給される制御信号の値によって導電状態が変化する導電路を有するもので、例えばＩＧＢＴ１０ａ−１、１０ａ−２が使用されている。ＩＧＢＴの他に電力ＦＥＴ、電力バイポーラトランジスタを使用することもできる。ＩＧＢＴ１０ａ−１、１０ａ−２のコレクタエミッタ導電路が直列に接続されている。この直列回路と並列に、直列接続されたインバータ用コンデンサ１２ａ―１、１２ａ−２が接続されている。即ち、インバータ８ａは、ハーブブリッジ型のものである。インバータ用コンデンサ１２ａ−１、１２ａ−２に代えて、ＩＧＢＴを使用するフルブリッジ型のものを使用することもできる。
【００２０】
これらＩＧＢＴ１０ａ−１、１０ａ−２のコレクタエミッタ導電路に逆並列にフライホイールダイオード１４ａ−１、１４ａ−２が接続されている。これらＩＧＢＴ１０ａ−１、１０ａ−２、フライホールダイオード１４ａ−１、１４ａ−２によってインバータ用半導体モジュール１６ａが形成されている。
【００２１】
電源入力端子２ａ乃至２ｃに４００Ｖの電圧が供給されているとき、入力側整流器４の出力端子４Ｐ、４Ｎ間にインバータ８ａ、８ｂを直列に接続し、２００Ｖの電圧が電源入力端子２ａ乃至２ｃに供給されているとき、入力側整流器４Ｐ、４Ｎ間にインバータ８ａ、８ｂを並列に接続するため、切換手段、例えば開閉スイッチ１８ａ乃至１８ｃが、出力端子４Ｐから４Ｎに向かってその名の順に直列に接続されている。開閉スイッチ１８ａ、１８ｃが常開スイッチで、開閉スイッチ１８ｂが常閉スイッチである。開閉スイッチ１８ａ、１８ｂの直列回路に対して並列に、コンデンサ１２ａ−１、１２ａ−２の直列回路が接続されている。開閉スイッチ１８ｂ、１８ｃの直列回路に対して並列に、コンデンサ１２ｂ−１、１２ｂ−２の直列回路が接続されている。
【００２２】
これら開閉スイッチ１８ａ乃至１８ｃは、切換指令回路２０によって制御される。切換指令回路２０には、電源入力端子の２つの端子間の電圧が入力されている。切換指令回路２０は、入力された電圧が２００Ｖの場合、開閉スイッチ１８ａ、１８ｃを閉じて、開閉スイッチ１８ｂを開いて、インバータ８ａ、８ｂを出力端子４Ｐ、４Ｎ間に並列に接続する。切換指令回路２０は、入力された電圧が４００Ｖの場合、開閉スイッチ１８ａ、１８ｃを開放して、開閉スイッチ１８ｂを閉じて、インバータ８ａ、８ｂを出力端子４Ｐ、４Ｎ間に直列に接続する。
【００２３】
インバータ８ａ、８ｂのＩＧＢＴ１０ａ−１、１０ａ−２、１０ｂ−１、１０ｂ−２は、制御回路２２からそれぞれに供給される制御信号（図２では、簡略化のために、制御信号の伝送ラインは１本のみ示してある）によって、制御される。
【００２４】
これらインバータ８ａ、８ｂの出力は、変圧器２４ａ、２４ｂの入力側巻線２４ａ‐ｐ、２４ｂ−ｐに供給されている。これら変圧器２４ａ、２４ｂの出力側巻線２４ａ−ｓ、２４ｂ−ｓの両端には、それぞれ出力側整流器を構成する整流ダイオード２６ａ−１、２６ａ−２、２６ｂ−１、２６ｂ−２のアノードが接続され、各カソードが互いに接続され、平滑用リアクトル２８を介して出力端子３０Ｐに接続されている。また、各変圧器２４ａ、２４ｂの出力側巻線２４ａ−ｓ、２４ｂ−ｓの中間タップが、出力端子３０Ｎに接続されている。これら整流ダイオード２６ａ−１、２６ａ−２、２６ｂ−１、２６ｂ−２は、１つの半導体モジュール３２に構成されている。
【００２５】
これらの部品を冷却するために、送風機３４が設けられている。送風機３４はファン３４ａと、ファン３４ａを駆動するためのモータ３４ｂとからなり、モータ３４ｂは、２つの電源入力端子に接続されている。
【００２６】
これら部品は、図３及び図４に示すように、前面パネル３６、背面パネル３８及びこれらの間の空間を被う胴部３９からなるケース内に収容されている。胴部３９は、断面形状がコ字状の左側板と右側板とを組合せて、又は断面形状がＵ字状の天板と底板とを組合せて、内部が中空の概略直方体状に形成されている。このケース内に、図１に示す放熱体、例えば放熱フィン４０、第１及び第２のシャーシ４２、４４、プリント配線板４６、４８が配置されて、１つのブロックを構成している。
【００２７】
放熱フィン４０は、内部が中空の直方体状に形成され、その中空部分が前面パネル３６、背面パネル３８の方向に沿うように配置されている。放熱フィン４０の側壁内面間に跨って上下方向に所定の間隔をあけて、複数の羽が形成されている。放熱フィンは、通常、アルミニウムを材料として引き抜き加工で形成される。しかし、羽の間隔（ピッチ）に対する羽の長さの比（トング比）を余り大きくできず、羽の長さを長くすることができない。そこで、放熱フィン４０では、アルミニウムの引き抜き加工によって、羽の長さ方向に垂直な面で、左右同形に分割し、これら分割された分割部材４０ａ、４０ｂを結合して、長い羽を持つ放熱フィン４０を構成している。分割部材４０ａ、４０ｂの結合は、溶接によって行うこともできるし、分割部材４０ａの上部に突部を設け、分割部材４０ｂの上部に、突部が嵌合する凹部を設け、分割部材４０ａの下部に凹部を設け、分割部材４０ｂの下部に、凹部に嵌合する突部を設けて、これら凹部と突部によって両分割部材４０ａ、４０ｂを結合してもよい。凹部と突部を設けた状態において、両分割部材４０ａ、４０ｂが同一形状であることが望ましい。
【００２８】
分割部材４０ａの側壁の外面には、半導体モジュールに構成された入力側整流器４が着脱自在に取り付けられている。更に、インバータ用半導体モジュール１６ａ、１６ｂも、分割部材４０ａの側壁の外面に着脱自在に取り付けられている。
【００２９】
同様に分割部材４０ｂの側壁の外面には、出力側整流器の半導体モジュール３２が着脱自在に取り付けられている。
【００３０】
即ち、放熱フィン４０の分割部材４０ａ、４０ｂの合わせ面を基準として、その分割部材４０ａの外面に、この電源装置の入力側において使用される半導体モジュール４、１６ａ、１６ｂが取り付けられている。分割部材４０ｂの外面に、この電源装置の出力側において使用される半導体モジュール３２が取り付けられている。
【００３１】
分割部材４０ａの外面側には、さらに第１のシャーシ４２が取り付けられている。分割部材４０ｂの外面側に第２のシャーシ４４が取り付けられている。第１及び第２のシャーシ４２、４４は、薄手の金属板、たとえばアルミニウム板または銅板によって構成されている。第１及び第２のシャーシ４２、４４は、分割部材４０ａ、４０ｂの高さ寸法よりも長い高さ寸法を有し、分割部材４０ａ、４０ｂの下方に一部が突出している。第１及び第２のシャーシ４２、４４の長さ寸法は、分割部材４０ａ、４０ｂの奥行き寸法よりも長く、分割部材４０ａ、４０ｂの前後方向の両端からそれぞれ端部が突出している。第１及び第２のシャーシ４２、４４における分割部材４０ａ、４０ｂよりも後方に突出している端部は、それぞれ分割部材４０ａ、４０ｂの外面に対して所定角度θだけ外方に折り曲げられている。
【００３２】
このように第１及び第２のシャーシ４２、４４及び放熱フィン４０によって放熱用のダクトが形成されている。そして、第１及び第２のシャーシ４２、４４の後方における外方に折り曲げられた部分に、送風機３４が取り付けられている。送風機３４を動作させることによって、前面パネル３６のフィンから吸気された空気は、放熱フィン４０の各羽の間を通過することによって、放熱フィン４０の半導体モジュール４、１６ａ、１６ｂ、３２を冷却し、その後、送風機３４によって、背面パネル３８のフィンから排出される。
【００３３】
第１のシャーシ４２には、入力側整流器４に対応させて窓４９ａが形成され、インバータ用半導体モジュール１６ａ、１６ｂに対応させて、窓４９ｂが形成されている。これら窓４９ａ、４９ｂから、入力側整流器４、インバータ用半導体モジュール１６ａ、１６ｂが外方に突出している。第２のシャーシ４４にも、半導体モジュール３２に対応する窓５１が形成されている。この窓５１から、半導体モジュール３２が外方に突出している。
【００３４】
プリント配線板４６は、第１のシャーシ４２の外方に、第１のシャーシ４２と間隔をあけて配置され、支持具５０によって第１のシャーシ４２に着脱自在に取り付けられている。このプリント配線板４６には、平滑用コンデンサ６及びインバータ用コンデンサ１２ａ−１、１２ａ−２、１２ｂ−１、１２ｂ−２等の変圧器２４ａ、２４ｂの入力側で使用される部品が配置されている。即ち、プリント配線板４６は、入力側プリント配線板である。プリント配線板４６の部品に、変圧器２４ａ、２４ｂの入力側で使用される入力側整流器４、インバータ用半導体モジュール１６ａ、１６ｂを電気的に接続する必要がある。この接続は、金属製の支持具５２ａ、５２ｂ、５４を直接にビス等によってプリント配線版４６と入力側整流器４、インバータ用半導体モジュール１６ａ、１６ｂとに取り付けることによって行う。従って、この支持具５２ａ、５２ｂ、５４も容易に取り外しが可能である。
【００３５】
プリント配線板４８は、第２のシャーシ４４の外方に、第２のシャーシ４４と間隔をあけて配置され、支持具５６によって着脱自在に取り付けられている。このプリント配線板４８には、変圧器２４ａ、２４ｂの出力側で使用される配線パターン等が形成されている。従って、このプリント配線板４８は、出力側配線板である。プリント配線板４８のパターンに半導体モジュール３２を接続するのも、金属製の支持具５８をビスによってパターンと半導体モジュール３２とに取り付けることによって行われている。従って、この支持具５８も容易に取り外しが可能である。
【００３６】
放熱フィン４０の下方に、変圧器２４ａ、２４ｂが、放熱フィン４０の前後方向に沿って配置されている。無論、変圧器２４ａ、２４ｂの入力側がプリント配線板４６側を、出力側がプリント配線板４８側を向くように配置されている。これら変圧器２４ａ、２４ｂは、第１のシャーシ４２の下部に変圧器２４ａ、２４ｂに対応させて形成した窓６０ａ、６２ａに、入力側巻線２４ａ−ｓ、２４ｂ−ｓが挿入され、第２のシャーシ４４の下部に変圧器２４ａ、２４ｂに対応させて形成した窓６０ｂ、６２ｂに、出力側巻線２４ａ−ｓ、２４ｂ−ｓが挿入されて、支持されている。また、変圧器２４ａ、２４ｂの入力側巻線２４ａ−ｐ、２４ｂ−ｐはプリント配線板４６の所定位置に接続され、出力側巻線２４ａ−ｓ、２４ｂ−ｓがプリント配線板４８の所定位置に接続されている。
【００３７】
これら変圧器２４ａ、２４ｂには、例えば特願昭２０００−３７４５５２号によって出願されているような構成のものを使用することができる。この変圧器２４ａ、２４ｂは薄型のもので、複数枚の平板状のコイルそれぞれにスリットを形成して、各平板状コイルそれぞれに２つの端子を形成し、こらら平板状コイルの間に絶縁シートを挿入して、積層し、各平板状コイルの各端部を直列に接続して入力側巻線を形成し、同様にスリットを形成して２つの端部を形成した複数の平板状コイルを絶縁シートを介して積層し、各これら平板状コイルを並列に接続して出力側巻線を形成し、これら入力側巻線と出力側巻線とを積層し、各コイルの中央に磁芯を設けたものである。
【００３８】
プリント配線板４８の出力側、即ち、出力側の整流用ダイオード２６ａ−１、２６ａ−２、２６ｂ−１、２６ｂ−２のカソードの相互接続点は、放熱フィン４０の前方に配置されている平滑用リアクトル２８の一端に接続されている。平滑用リアクトル２８の他端は、前面パネル３６に設けられた出力端子３０Ｐに接続されている。また、変圧器２４ａ、２４ｂの出力側巻線２４ａ−ｓ、２４ｂ−ｓの中間タップも前面パネル３６に設けられた出力端子３０Ｎに接続されている。
【００３９】
図２に示した制御回路２２は、図１に示していないが、プリント配線板上に構成され、このプリント配線板は、プリント配線板４８の下方またはプリント配線板４６の下方、または放熱フィン４０の上方に配置されている。
【００４０】
第１及び第２のシャーシ４２、４４の上部には、これらを内側に向かって折り曲げて形成したプリント配線板固定部６４ａ、６４ｂが設けられている。これら固定部に、切換指令回路２０が構成されたプリント配線板２０ａが取り付けられている。
【００４１】
なお、第１及び第２のシャーシ４２、４４の前方は、強度を得るためと、前面パネル３６の取付を容易にするために、折り曲げ加工されて、前方に突出している。
【００４２】
第１及び第２のシャーシ４２、４４の前方に、前面パネル３６が取り付けられ、第１及び第２のシャーシ４２、４４の後方に、背面パネル３８が送風機３４と共に共締めされる。前面パネル３６及び背面パネル３８を取り付けた状態で、１つの金型で形成された２つのコ字状の側板を組合せた、または、２つのＵ字状の天板と底板とを組合せた胴部３９が、前面パネル３６及び背面パネル３８の間に位置するように配置され、第１及び第２のシャーシ４２、４４にねじ止めされる。
【００４３】
このように構成された電源装置では、ケースの胴部３９を第１及び第２のシャーシ４２、４４に取り付けているねじを外し、胴部３９を２つに分けると、電源装置の全体の構成を把握することができる。しかも、放熱フィン４０の一方の側に変圧器２４ａ、２４ｂの入力側に存在する部品が集められ、他方の側に変圧器２４ａ、２４ｂの出力側に存在する部品が集められているので、一方の側について保守点検することによって変圧器２４ａ、２４ｂの入力側について保守点検を行え、他方の側について保守点検することによって変圧器２４ａ、２４ｂの出力側について保守点検を行える。従って、入力側の部品を点検するために、放熱フィン４０の一方の側を点検した後に、他方の側を点検するような作業が不要で、円滑に保守点検を行える。また、第１及び第２のシャーシ４２、４４、プリント配線板４６、４８は、放熱フィン４０に取り付けられて、ブロック化されているので、前面パネル３６、背面パネル３８を外しても、全体がばらばらにならず、前面パネル３６付近に設けられているリアクトル２８等の保守点検も容易に行える。
【００４４】
しかも、胴部３９を外した状態で、プリント配線板４６を取り外すと、入力側の半導体モジュール４、１６ａ、１６ｂが、第１のシャーシ４２の窓４９ａから突出しているので、これら半導体モジュール４、１６ａ、１６ｂの交換も容易に行える。更に、これら半導体モジュール４、１６ａ、１６ｂとプリント配線板４６との接続は、着脱が容易な支持具５２ａ、５２ｂによって行っているので、はんだ付け等の作業が不要で、電源装置の製作が容易である上に、半導体モジュール４、１６ａ、１６ｂとプリント配線板４６との接続も容易に取り外すことができ、保守点検が容易に行える。出力側の半導体モジュール３２の交換も同様に容易に行える。
【００４５】
また、変圧器２４ａ、２４ｂは、薄型のものを使用し、かつ放熱フィン４０の下方に配置してあるので、スペースを取らず、電源装置全体を小型化することができる。
【００４６】
上記の実施の形態では、高電圧と低電圧のいずれかの交流電圧が電源入力端子２ａ乃至２ｃに供給されるように構成したが、単一の交流電圧が供給されるように構成することもできる。この場合、開閉スイッチ１８ａ、１８ｂ、１８ｃ、切換指令回路２０は不要である。また、単一の交流電圧が低電圧の場合、変圧器２４ａ、整流ダイオード２６ａ−１、２６ａ−２または変圧器２４ｂ、整流ダイオード２６ｂ−１、２６ｂ−２のうち一方を除去する。また、上記の実施の形態では、直流電流を出力するように構成したが、例えば平滑用リアクトル２８の出力を、例えば１０Ｈｚ乃至２００Ｈｚの交流電流に変換する低周波インバータを設け、このインバータの出力を出力端子３０Ｐ、３０Ｎから出力するように構成することもできるし、或いは、平滑用リアクトル２８の出力と、低周波インバータの出力とを切り換えて、出力端子３０Ｐ、３０Ｎから出力することもできる。この場合、低周波インバータをインバータ動作させずに、直流電流を出力端子３０Ｐ、３０Ｎに供給するスイッチとして使用すればよい。
【００４７】
【発明の効果】
以上のように、本発明による電源装置では、保守点検が容易に行えるうえに、小型に構成することができる。
【図面の簡単な説明】
【図１】本発明の１実施形態の電源装置の組み立て図である。
【図２】図１の電源装置の回路図である。
【図３】図１の電源装置の横断面平面図である。
【図４】図１の電源装置の縦断側面図である。
【符号の説明】
４  １６ａ、１６ｂ  ３２  半導体モジュール
４０  放熱体
４２  ４４  第１及び第２のシャーシ
４６  ４８  プリント配線板
【図１】
0004108348.tif 000002
【図２】
0004108348.tif 000003
【図３】
0004108348.tif 000004
【図４】
0004108348.tif 000005